(57)【特許請求の範囲】
【請求項１】
１または２以上の散水ノズルと、
ノズル用水供給路中に設けられた開閉バルブと、
ふるい機駆動用油圧回路から分岐して供給された圧油によってバルブの開閉を行うバルブ開閉手段とを備えていることを特徴とする散水装置付油圧駆動式ふるい機。
【請求項２】
バルブの開閉が、ふるい機の作動および非作動と連動し、バルブ開閉手段が、ふるい機の作動時に散水を行い、非作動時に散水を行わないように、バルブの開閉を行うことを特徴とする請求項１記載の散水装置付油圧駆動式ふるい機。
【請求項３】
ノズルへの水供給量を検出する水供給量検出手段と、
水供給量検出手段によって検出された水供給量が所定の値より低くなった場合にふるい機の作動を停止させるふるい機作動停止手段とを備えていることを特徴とする請求項１または２記載の散水装置付油圧駆動式ふるい機。
【請求項４】
ふるい機が回転式であることを特徴とする請求項１〜３のいずれかに記載の散水装置付油圧駆動式ふるい機。
【発明の詳細な説明】
【発明の属する技術分野】
本発明は、油圧駆動式ふるい機に関する。詳しくは、油圧ショベル等の自走式作業車のブーム先端に取り付けられる油圧駆動式ふるい機で散水装置を備えたものに関する。
【従来の技術】
油圧ショベル等の自走式作業車のブーム先端に取り付けたふるい機でふるい作業を行う際に、粉塵の発生を防止するために散水を行う必要が生じることがある。
このような場合、油圧ショベルを操作する作業者とは異なる補助作業者が油圧ショベルとは別に設けられた散水装置を用い、必要な場所に適宜散水を行うのが通常であり、散水装置付のふるい機は存在しなかった。
【発明が解決しようとする課題】
ところが、補助作業者が散水を行う場合、油圧ショベルに近づくと危険であるため、安全な場所、すなわち油圧ショベルから相当に離れた場所から散水を行わなければならなかった。しかし、油圧ショベルから相当に離れた場所から散水を行うと、必要な場所に散水を行うことが難しく、効率が悪いという問題があった。
本発明は上記問題を解決することを課題とし、ふるい機での作業中に必要な場所に散水を行うことが容易な散水装置付油圧駆動式ふるい機を提供することを目的とする。
【課題を解決するための手段および発明の効果】
上記課題を解決するために、本発明の散水装置付油圧駆動式ふるい機は、
１または２以上の散水ノズルと、ノズル用水供給路中に設けられた開閉バルブと、ふるい機駆動用油圧回路から分岐して供給された圧油によってバルブの開閉を行うバルブ開閉手段とを備えている
ものである。
本発明の散水装置付油圧駆動式ふるい機は、散水ノズルを備えているので、ふるい機の近く、すなわち油圧ショベルの近くから散水を行え、必要な場所に正確に散水を行うことができる。また、油圧ショベルを駆動する油圧回路から分岐して供給される圧油によってノズルに水を供給するバルブの開閉が行われるようになされており、散水装置の構成は単純なものとなる。さらに、バルブの開閉がふるい機駆動用回路から分岐して供給された圧油によって行われ、作業環境に関わらず、バルブは安定して作動するので、散水および散水の停止が確実に行われる。
上記散水装置付油圧駆動式ふるい機において、バルブの開閉が、ふるい機の作動および非作動と連動し、バルブ開閉手段が、ふるい機の作動時に散水を行い、ふるい機の非作動時に散水を行わないように、バルブの開閉を行うことに特徴がある。
このため、ふるい機の作動中にのみ散水が行われるので余分な水が消費されることがない。すなわち、ふるい機を作動させると同時に自動的に散水が行われ、ふるい機が停止すると同時に散水が止められるようになっている。
上記散水装置において、ノズルへの水供給量を検出する水供給量検出手段と、水供給量検出手段によって検出された水供給量が所定の値より低くなった場合にふるい機の作動を停止させるふるい機作動停止手段を設けるとよい。
そうすれば、ふるい機の作動時には必ず水が散水されるようになり粉塵の発生が確実に防止される。これは、タンク等の独立した水源から水を供給する場合等は特に有効である。
上記の散水装置は、回転式のふるい機に用いることが好ましい。
【発明の実施の形態】
以下、図面を参照して本発明の一実施形態について説明する。
図１は本発明の一実施形態の散水装置付油圧駆動式回転ふるい機２が取り付けられた油圧ショベル１である。回転ふるい機２は、フレーム２ａと、フレーム２ａに回転自在に取り付けられた一端開口筒状ふるい機本体２ｂとを備えている。この油圧ショベル１においては以下のようにして土砂等のふるい分け作業が行われる。まず、ふるい機２が取り付けられた油圧ショベル１を操作して、ふるい機２にふるい分けする土砂等をすくい取る。そして、ふるい機２を回転させ、ふるい機２の網状周壁や網状底壁から細かい土砂等をふるい機２外に排出し、小石など粗い土砂だけをふるい機２内に残す。
油圧ショベル１およびふるい機２の構成は従来と変わりないので詳細な説明は省略し、以下、散水装置の構成および散水装置の回路について詳細に説明する。
以下の説明において左右は図２を基準とするものとし、図２の下を左、上を右という。
まず、図２を参照して散水装置の構成について説明する。なお、図２においては図面を簡略化するために、ふるい機本体２ｂの網目を省略している。散水装置は、ふるい機２のフレーム２ａの右および左側面中央上部に取り付けられた散水ノズル３Ａ、３Ｂと、フレームの上部中央に取り付けられた開閉バルブ４とを備えている。散水ノズル３Ａ、３Ｂはそれぞれ前後にやや下を向いた二つの散水口を有している。
開閉バルブ４は、以下のようにして水供給路中に設けられている。開閉バルブ４のＢポートには、開閉バルブ４と図示しない適当な水源とを接続する水源接続管５が接続されている。そして、開閉バルブ４内において水供給路は分岐され、右の散水ノズル３Ａに右ノズル用水供給管６Ａが、左の散水ノズル３Ｂに左ノズル用水供給管６Ｂが接続されている。また、開閉バルブ４の左右のＰｉポートに、後に詳しく述べるように、バルブ４を開閉して散水ノズル３からの散水および散水停止を行うための開閉バルブ用圧油供給管７Ａ、７Ｂがそれぞれ接続されている。
次いで、散水ノズルによって散水を行うための油圧回路の一実施形態について図３および図４を用いて説明する。
図３は、油圧モータ１３を正、逆いずれかに回転駆動することのできる、すなわちふるい機２を正、逆いずれかに回転させることのできる油圧回路であって、散水を行うための油圧回路を付加したものを示している。まず、油圧モータ１３を駆動する公知の回路について簡単に説明する。この回路においては、ペダル１０Ａ、１０Ｂのいずれかを踏むことによりコントロールバルブ１１が切り替わって油圧ポンプ１２からモータ用圧油供給管１４、１５のいずれかに圧油が供給される。そして、モータ用圧油供給管１４、１５のいずれかに供給された圧油によって油圧モータ１３が正、逆いずれかに回転する。なお、ペダル１０Ａ、１０Ｂ、コントロールバルブ１１、油圧ポンプ１２および油圧モータ１３の構成は公知なものであるので説明は省略する。
以下、散水および散水の停止を行う回路について説明する。
開閉バルブ４は、図４に示すようにシャトルバルブ４ａと切替バルブ４ｂとよりなる。開閉バルブ４のＰｉポートがシャトルバルブ４ａの流入口とされている。また、開閉バルブ４のＢポートが切替バルブ４ｂの流入口とされている。開閉バルブ４のＰｉポートには、モータ駆動用圧油供給管１４、１５から分岐された開閉バルブ用圧油供給管７Ａ、７Ｂがそれぞれ接続されている。また、開閉バルブ４のＢポート、すなわち切替バルブ４ｂの流入口には水源接続管５が接続されている。そして、シャトルバルブ４ａの少なくともいずれか一方の流入口（Ｐｉポート）に圧油が供給されると切替バルブ４ｂが開いてノズル３Ａ，３Ｂに水が送られ、いずれの流入口（Ｐｉポート）にも圧油が供給されないと切替バルブ４ｂが閉じて散水が停止されるように、シャトルバルブ４ａと切替バルブ４ｂとが接続されている。すなわち、この実施形態においては開閉バルブ４の開閉はモータ用圧油供給管１４、１５への圧油供給に連動することになる。
上記のように回路が構成されているので、二つのモータ用圧油供給管１４、１５のいずれにも圧油が供給されていない状態、すなわちふるい機２が停止している状態では、図４（ａ）に示したように切替バルブ４ｂは閉じており、散水ノズル３Ａ、３Ｂからの散水は行われない。
二つのモータ用圧油供給管１４、１５のいずれか一方に圧油が供給されると、すなわちふるい機２が正、逆いずれかの回転を行うと、開閉バルブ４の二つのＰｉポートのいずれか一方に圧油が供給されてシャトルバルブ４ａを経て切替バルブ４ｂに圧油が供給される。すると、図４（ｂ）に示したように切替バルブ４ｂが開き、切替バルブ４ｂを通って散水ノズル３Ａ、３Ｂに水が供給され、散水が行われる。
さらに、散水装置は水供給源からの水供給が減少あるいは停止した場合や所定の水供給油圧が得られない場合、ふるい機２が回転しないようになっている。以下、この機能を実現させるための回路について説明する。
水源接続管５の途中には水源接続管５内を流れる水圧を検出するための圧力スイッチ１６が接続されている。圧力スイッチ１６により検出された圧力はペダル１０Ａ、１０Ｂと油圧ポンプ１２とを接続する管路中に設けられた電磁バルブ１７に送られ、圧力スイッチ１６から検出された水圧が所定の値より低いと電磁バルブ１７は閉じた状態となる。
したがって水圧が低い場合、すなわち水供給源からの水供給が減少した場合等は油圧ポンプ１２は作動せずふるい機２は回転しない。
図５および図６には、先に述べた開閉バルブ４に換えて、他の開閉バルブ２０を用いた実施形態が示されている。この開閉バルブ２０は二つの切替バルブ４ａ，４ｂを組み合わせた働きをするものであり、開閉バルブ用圧油供給管７Ａ，７Ｂのいずれかに圧油が供給されると図６（ａ）（ｃ）に示したように、流路が開いてノズル３Ａ、３Ｂに水が供給される。いずれの供給管７Ａ，７Ｂにも圧油が供給されていないと、図６（ｂ）に示したように流路が閉じてノズル３Ａ、３Ｂへ水が供給されないようになっている。したがってこのバルブ２０を用いても散水装置は、先に述べた実施形態の場合と同様に動作する。
なお、本発明の構成は上記実施形態のものには限られない。例えば、上記二つの実施形態はいずれも正、逆両回転を行うことのできるふるい機に適用したものであるが、例えば、いずれか一方にしか回転しないふるい機に適用することもできる。この場合、開閉バルブをひとつの切替バルブによって構成する等の回路変更を行えばよい。また、例えば水源としては、独立した水タンクを用いることも水道を用いることもできる。さらに、圧力スイッチ１６は、開閉バルブの下流側に設けてもよい。
【図面の簡単な説明】
【図１】本発明の散水装置付油圧駆動式ふるい機が取り付けられた油圧ショベルの側面図である。
【図２】同ふるい機の平面図である。
【図３】同ふるい機の回路図である。
【図４】図３に示した開閉バルブの開閉状態を示す図であり、（ａ）はバルブが閉じた状態を、（ｂ）はバルブが開いた状態を示している。
【図５】本発明の散水装置付油圧駆動式ふるい機の他の実施形態の回路図の要部を示す図である。
【図６】図５に示した開閉バルブの開閉状態を示す図であり、（ａ）はバルブが開いた状態を、（ｂ）はバルブが閉じた状態を、（ｃ）はバルブが開いた状態を示している。
【符号の説明】
１          油圧ショベル
２          ふるい機
３Ａ、Ｂ    散水ノズル
４、２０    開閉バルブ
５          水源接続管（ノズル用水供給路）
６Ａ、Ｂ    ノズル水供給管（ノズル用水供給路）
７Ａ、Ｂ    開閉バルブ用圧油供給管
１０Ａ、Ｂ  ペダル
１１        コントロールバルブ
１２        油圧ポンプ
１３        油圧モータ
１４、１５  モータ用圧油供給管（ふるい機駆動用油圧回路）
１６        圧力スイッチ（水供給量検出手段）
１７        電磁バルブ（ふるい機作動停止手段）
【図１】
0003947677.tif 000002
【図２】
0003947677.tif 000003
【図３】
0003947677.tif 000004
【図４】
0003947677.tif 000005
【図５】
0003947677.tif 000006
【図６】
0003947677.tif 000007